(57)【要約】【課題】  外部の照明なしに暗い場所で鏡として使用することができ、照明装置として使う場合には、鏡として使用する場合に比較して大きな光量で使用することができ、周囲が明るい場合には全面を鏡として利用可能である照明装置付き鏡及びサンバイザーを提供する。【解決手段】  バニティーミラー１０は、透明基板２０と、透明基板２０上に隣接して区画形成された複数の有機ＥＬ素子２１とを備えている。そして、全ての有機ＥＬ素子２１が発光される全面発光と、一部の前記有機ＥＬ素子２１が発光される部分発光と、全ての有機ＥＬ素子２１が発光されないないで全面を鏡として利用できる全面非発光とを発光切替手段としてのスイッチ２９によって選択可能である。【選択図】      図１
2005177084.tif 000002
【特許請求の範囲】
【請求項１】
透明基板と、
前記透明基板上に隣接して区画形成された複数の有機ＥＬ素子と、
全ての前記有機ＥＬ素子が発光される全面発光と、一部の前記有機ＥＬ素子が発光される部分発光と、全ての前記ＥＬ素子が発光されないで全面を鏡として利用可能な全面非発光とを選択することができる発光切替手段と
を備えた照明装置付き鏡。
【請求項２】
透明基板と、
前記透明基板上に形成された第１電極と、
前記第１電極上に形成された有機ＥＬ層と、
前記有機ＥＬ層上に不連続に形成された第２電極と、
前記透明基板のほぼ全面に対応する部分が発光される全面発光と、前記透明基板の一部に対応する部分が発光される部分発光と、前記透明基板の全面が発光されないで全面を鏡として利用可能な全面非発光とを選択することができる発光切替手段と
を備えた照明装置付き鏡。
【請求項３】
前記有機ＥＬ層が不連続に形成されている請求項２に記載の照明装置付き鏡。
【請求項４】
前記第１電極が不連続に形成されている請求項２又は請求項３に記載の照明装置付き鏡。
【請求項５】
透明基板と、
前記透明基板上に不連続に形成された第１電極と、
前記第１電極上に形成された有機ＥＬ層と、
前記有機ＥＬ層上に形成された第２電極と、
前記透明基板のほぼ全面に対応する部分が発光される全面発光と、前記透明基板の一部に対応する部分が発光される部分発光と、前記透明基板の全面が発光されないで全面を鏡として利用可能な全面非発光とを選択することができる発光切替手段と
を備えた照明装置付き鏡。
【請求項６】
前記有機ＥＬ層が不連続に形成されている請求項５に記載の照明装置付き鏡。
【請求項７】
透明基板と、前記透明基板上に形成された有機ＥＬ素子とを備えたパネルを複数有し、前記パネルの前記透明基板の端面同士が対向するようにそれぞれ並んで配置された照明装置付き鏡であって、
全ての前記有機ＥＬ素子が発光される全面発光と、一部の前記有機ＥＬ素子が発光される部分発光と、全ての前記有機ＥＬ素子が発光されないで全面を鏡として利用可能な全面非発光とを選択することができる発光切替手段
を備えた照明装置付き鏡。
【請求項８】
前記部分発光が選択された際に、非発光部分が１枚の鏡として機能する請求項１〜請求項７のいずれか一項に記載の照明装置付き鏡。
【請求項９】
前記複数の有機ＥＬ素子がほぼ長方形状に配置されるとともに、少なくとも前記透明基板の相対する２辺の周縁部に沿って配置された有機ＥＬ素子が存在する請求項８に記載の照明装置付き鏡。
【請求項１０】
前記複数の有機ＥＬ素子がほぼ長方形状に配置されるとともに、少なくとも前記透明基板の長手方向の一辺の周縁部に沿って配置された有機ＥＬ素子が存在する請求項８に記載の照明装置付き鏡。    
【請求項１１】
前記照明装置付き鏡は、前記有機ＥＬ素子に印加する印加電圧を変更する印加電圧可変手段を備えている請求項１〜請求項１０のいずれか一項に記載の照明装置付き鏡。
【請求項１２】
バニティーミラーを有する自動車のサンバイザーであって、前記バニティーミラーは、請求項１〜請求項１１のいずれか一項に記載の照明装置付き鏡であることを特徴とするサンバイザー。
【請求項１３】
前記バニティーミラーは自動車のサンバイザーに取り外し可能に取り付けられている請求項１２に記載のサンバイザー。
【請求項１４】
前記複数の有機ＥＬ素子は自動車の補機用の電源を電源とし、複数の有機ＥＬ素子のうち、同時に発光し、かつ一列に配置された有機ＥＬ素子は、電気的に直列に接続されている請求項１２又は請求項１３に記載のサンバイザー。
【発明の詳細な説明】
【技術分野】
【０００１】
本発明は、照明装置付き鏡及びサンバイザーに関する。
【背景技術】
【０００２】
従来、暗い場所で蛍光灯などを用いないで鏡を使用することができる照明装置付き鏡として、鏡の周りに発光素子を配設して、暗いときなどには発光素子を発光させることにより外部の照明を用いないで鏡を使用できる照明装置付き鏡が提案されている（例えば、特許文献１、特許文献２、特許文献３参照。）。また、明るい場所では鏡として使用でき、暗い場所では照明装置として使用される照明装置付き鏡も提案されている（例えば、特許文献１参照。）。
【０００３】
前者の照明装置付き鏡として、特許文献１には、図１０（ａ）に示すように、非発光部５１と、発光部５２とに分かれている自発光鏡５０が開示されている。自発光鏡５０は、発光部５２が発光しているときは、非発光部５１が鏡として使用できる。また、自発光鏡５０は、発光部５２が発光していないときは、非発光部５１と発光部５２とが鏡として利用できる。
【０００４】
また、後者の照明装置付き鏡として、特許文献１には、鏡の全体に発光素子を形成して、図１０（ｂ）に示すように、照明装置として使用する際には全面が発光し、鏡として使用する際には発光させないで使用する自発光鏡６０が開示されている。
【特許文献１】特開２０００−４１８０７号公報（明細書の段落［００１６］、［００１７］、［００２１］、図２、図９）
【特許文献２】特開２００２−３２９４１８号公報（明細書の段落［０００５］、図１、図４）
【特許文献３】特開２００３−２１７８６８号公報（明細書の段落［０００５］、図１、図２）
【発明の開示】
【発明が解決しようとする課題】
【０００５】
ところが、前者の自発光鏡５０は、電源をオンにすると鏡の周縁部分が照明部として機能し、周縁部分以外の部分は鏡として機能する。即ち、自発光鏡５０は、鏡の周縁部分にしか照明部を備えていないため夜間照明として使う場合には光量が不足してしまう。
【０００６】
また、後者の自発光鏡６０は、電源をオンにすると照明装置としてだけ機能して、鏡としては使用できない。また、鏡として使用するときは鏡の役割だけ果たして、使用者の顔などを照らす照明装置としての役割は果たさないため、暗いところで鏡として使用できない。
【０００７】
本発明は、このような従来技術に存在する問題点に着目してなされたものである。その目的とするところは、外部の照明なしに暗い場所で鏡として使用することができ、照明装置として使う場合には、鏡として使用する場合に比較して大きな光量で使用することができ、周囲が明るい場合は、全面を鏡として利用可能である照明装置付き鏡及びサンバイザーを提供することにある。
【課題を解決するための手段】
【０００８】
上記の目的を達成するために、請求項１に記載の発明は、透明基板と、前記透明基板上に隣接して区画形成された複数の有機ＥＬ素子とを備えている。そして、全ての前記有機ＥＬ素子が発光される全面発光と、一部の前記有機ＥＬ素子が発光される部分発光と、全ての前記有機ＥＬ素子が発光されないで全面を鏡として利用可能な全面非発光とを選択することができる発光切替手段とを備えた。
【０００９】
この発明では、周りが暗い場合に鏡として使用するときには、蛍光灯などの他の照明装置を使用することなく、鏡の一部分のみを発光させて、発光していない部分を鏡として使用することができる。また、照明装置として使用するときには、発光切替手段を用いることで全面発光と部分発光とを選択することによって、明るさ（光量）を調整することができる。また、周りが明るい場合には、全面を非発光状態とすることで全面を鏡として使用することができる。
【００１０】
請求項２に記載の発明は、透明基板と、前記透明基板上に形成された第１電極と、前記第１電極上に形成された有機ＥＬ層と、前記有機ＥＬ層上に不連続に形成された第２電極とを備えている。そして、前記透明基板のほぼ全面に対応する部分が発光される全面発光と、前記透明基板の一部に対応する部分が発光される部分発光と、前記透明基板の全面が発光されないで全面を鏡として利用可能な全面非発光とを選択することができる発光切替手段とを備えた。従って、この発明では請求項１と同様の作用効果を奏する。
【００１１】
請求項３に記載の発明は、請求項２に記載の発明において、前記有機ＥＬ層が不連続に形成されている。従って、この発明では請求項１と同様の作用効果を奏する。
請求項４に記載の発明は、請求項２又は請求項３に記載の発明において、前記第１電極が不連続に形成されている。従って、この発明では請求項１と同様の作用効果を奏する。
【００１２】
請求項５に記載の発明は、透明基板と、前記透明基板上に不連続に形成された第１電極と、前記第１電極上に形成された有機ＥＬ層と、前記有機ＥＬ層上に形成された第２電極とを備えている。そして、前記透明基板のほぼ全面に対応する部分が発光される全面発光と、前記透明基板の一部に対応する部分が発光される部分発光と、前記透明基板の全面が発光されないで全面を鏡として利用可能な全面非発光とを選択することができる発光切替手段とを備えた。従って、この発明では、請求項１と同様の作用効果を奏する。
【００１３】
請求項６に記載の発明は、請求項５に記載の発明において、前記有機ＥＬ層が不連続に形成されている。従って、この発明では、請求項１と同様の作用効果を奏する。
請求項７に記載の発明は、前記透明基板と、前記透明基板上に形成された有機ＥＬ素子とを備えたパネルを有し、前記パネルの前記透明基板の端面同士が対向するようにそれぞれ並んで配置されている照明装置付き鏡である。そして、全ての前記有機ＥＬ素子が発光される全面発光と、一部の前記有機ＥＬ素子が発光される部分発光と、全ての前記有機ＥＬ素子が発光されないで全面を鏡として利用可能な全面非発光とを選択することができる発光切替手段を備えた。この発明では、隣り合う前記パネルの前記透明基板の端面同士が対向するようにそれぞれ並んで配置されているため、１つのパネルを用いたときに比べて大きい面積の照明装置付き鏡を作ることができる。
【００１４】
請求項８に記載の発明は、請求項１〜請求項７のいずれか一項に記載の発明において、前記部分発光が選択された際に、非発光部が１枚の鏡として機能する。ここで、「非発光部が１枚の鏡として機能する」とは、非発光部が１つの有機ＥＬ素子で構成されているか、又は、非発光部が複数の有機ＥＬ素子で構成される場合は、観察した際に１枚の鏡として認識されるように各有機ＥＬ素子が互いに密着していることを意味している。従って、この発明では、暗い場所で外部の照明なしに鏡として使用する場合、非発光部が１枚の鏡として認識されるため、非発光部が複数の鏡として認識される場合と比較して鏡として使い易い。
【００１５】
請求項９に記載の発明は、請求項８に記載の発明において、前記複数の有機ＥＬ素子がほぼ長方形状に配置されるとともに、少なくとも前記透明基板の相対する２辺の周縁部に沿って配置された有機ＥＬ素子が存在する。従って、この発明では、暗い場所で鏡として使用する場合、鏡の対向する２辺から光が発光されるため鏡に映る顔の影を防ぐことができる。
【００１６】
請求項１０に記載の発明は、請求項８に記載の発明において、前記複数の有機ＥＬ素子がほぼ長方形状に配置されるとともに、少なくとも前記透明基板の長手方向の一辺の周縁部に沿って配置された有機ＥＬ素子が存在する。従って、この発明では、暗い場所で鏡として使用する場合、前記一辺の周縁部から光が発光されるため鏡に映る顔の影を防ぐことができる。  
【００１７】
請求項１１に記載の発明は、請求項１〜請求項１０のいずれか一項に記載の発明において、前記照明装置付き鏡は、前記有機ＥＬ素子に印加する印加電圧を変更する印加電圧可変手段を備えている。従って、この発明では、印加電圧可変手段を操作して印加電圧を調整することにより、有機ＥＬ層から発光される光の強弱を調整することができる。
【００１８】
請求項１２に記載の発明は、バニティーミラーを有する自動車のサンバイザーであって、前記バニティーミラーは、請求項１〜請求項１１のいずれか一項に記載の照明装置付き鏡である。ここで、「バニティーミラー」とは、自動車のサンバイザーの裏側に設けられた鏡を意味する。この発明では、バニティーミラーにおいて請求項１〜請求項１１のいずれか一項に記載の発明と同様の作用効果を奏する。
【００１９】
請求項１３に記載の発明は、請求項１２の発明において、前記バニティーミラーは自動車のサンバイザーに取り外し可能に取り付けられている。従って、この発明では、サンバイザーの位置から直接照明できない個所でもサンバイザーからバニティーミラーを取り外して明るく照らすことができる。
【００２０】
請求項１４に記載の発明は、請求項１２又は請求項１３に記載の発明において、前記複数の有機ＥＬ素子は自動車の補機用の電源を電源とし、複数の有機ＥＬ素子のうち、同時に発光し、かつ一列に配置された有機ＥＬ素子は、電気的に直列に接続されている。この発明では、例えば、自動車の補機用の電源として一般的な１２Ｖのバッテリーを有機ＥＬ素子の電源として使用する際に、３つの有機ＥＬ素子を電気的に直列に接続すると、各有機ＥＬ素子にかかる電圧は４Ｖとなる。従って、各有機ＥＬ素子を電気的に並列に接続する場合と異なり、電源（バッテリー）からの電圧を下げるための抵抗等をわざわざ設ける必要がなくなる。また、各有機ＥＬ素子が電気的に直列に接続されているため各有機ＥＬ素子に流れる電流を同じにすることができるため、各有機ＥＬ素子の発光量をほぼ同じにすることができる。
【発明の効果】
【００２１】
本発明によれば、鏡の一部だけを発光させて他の部分を鏡として使用することにより、外部の照明なしに暗い場所で鏡として使用することができ、照明装置として使う場合には全面を発光させることにより、鏡として使用する場合に比較して大きな光量で使用することができる。また、全ての有機ＥＬ素子を発光させないで全面を鏡として利用することができる。
【発明を実施するための最良の形態】
【００２２】
（第１の実施形態）
以下、本発明を自動車のバニティーミラーに具体化した第１の実施形態を、図１（ａ），（ｂ）、図２及び図３に従って説明する。図１（ａ）は、バニティーミラーとサンバイザーの関係を示す模式平面図であり、図１（ｂ）は、照明装置付き鏡の模式図である。図２は、有機ＥＬ素子の模式断面図であり、図３は、図１（ｂ）のＡ−Ａ線における拡大断面図である。
【００２３】
図１（ａ）に示すように照明装置付き鏡は、自動車のサンバイザー１１に取り付けられているバニティーミラー１０に適用されている。バニティーミラー１０は、サンバイザー１１上にサンバイザー１１よりも小さく形成されている。また、サンバイザー１１上のバニティーミラー１０の下には発光切替手段としてのスイッチ２９が形成されている。
【００２４】
次にバニティーミラー１０について詳述する。図１（ｂ）に示すようにバニティーミラー１０は、透明基板２０と、透明基板２０上に隣接して区画形成された複数の有機ＥＬ素子２１とを備えている。図２に示すように各有機ＥＬ素子２１は、基本的に透明基板２０上に第１電極２２、有機ＥＬ層２３及び第２電極２４が積層されて形成されている。有機ＥＬ素子２１は、有機ＥＬ層２３が外気と接しないように、図示しない保護膜で被覆されている。有機ＥＬ素子２１は、有機ＥＬ層２３の発光が透明基板２０側から取り出される（出射される）所謂ボトムエミッションタイプに構成されている。
【００２５】
第１電極２２及び第２電極２４のうち、有機ＥＬ層２３に対して発光の取り出し方向側に形成された第１電極２２が光透過性を有し、有機ＥＬ層２３に対して発光の取り出し方向と反対側に形成された第２電極２４が光反射性を有する。従って、第２電極２４は鏡となる。
【００２６】
第１電極２２は、透明導電材で形成され、この実施形態では透明導電材として、例えば、ＩＴＯ（インジウム錫酸化物）が使用されている。
有機ＥＬ層２３には、公知の構成のものが使用され、例えば、第１電極２２側から順に正孔注入層、発光層及び電子注入層の３層あるいは正孔注入層、正孔輸送層、発光層及び電子輸送層の４層で構成されている。有機ＥＬ層２３は、白色発光を行うように構成されている。
【００２７】
第２電極２４は、鏡の光反射面と、有機ＥＬ層２３に電圧を加えるための電極の役割とを有する。第２電極２４を形成する材料として光に対する反射性を有している金属が使用され、例えば、アルミニウム（アルミニウム合金を含む）や銀（銀合金を含む）などが使用される。
【００２８】
保護膜は、第１電極２２、有機ＥＬ層２３及び第２電極２４の互いに隣接する面以外の部分を覆うように形成されている。保護膜は、少なくとも水分（水蒸気）及び酸素の透過を抑制する機能を有する材料で形成され、保護膜の材料としては、例えば、酸化ケイ素、窒化ケイ素、ポリシラザン等が使用される。
【００２９】
図１（ｂ）に示すように、この実施形態においては、透明基板２０は長方形状に形成され、透明基板２０上に９つの有機ＥＬ素子２１が形成されて、有機ＥＬ素子２１は３行３列に配置されている。透明基板２０の図１（ｂ）における左右の２辺の周縁部に沿って配置された有機ＥＬ素子２１はそれぞれ同じ大きさ、同じ形状に形成され、中央部に配置された３つの有機ＥＬ素子２１は透明基板２０の左右の２辺の周縁部に配置された有機ＥＬ素子２１より幅（図１（ｂ）における左右方向の長さ）が長く（この実施形態では４倍に）形成されている。列方向に並んだ３つの有機ＥＬ素子２１同士は後述するようにそれぞれ電気的に直列に接続されている。
【００３０】
有機ＥＬ素子２１は自動車の補機用の電源であるバッテリーを電源とし、複数の有機ＥＬ素子２１のうち、同時に発光し、かつ一列に配置された有機ＥＬ素子２１は、電気的に直列に接続されている。この実施形態では列方向に並んだ３組の有機ＥＬ素子２１は、各組のプラス端子２５がそれぞれスイッチボックス２６を介して電源としてのバッテリー２７のプラス端子に接続され、各組のマイナス端子２８がそれぞれバッテリー２７のマイナス端子に接続されている。
【００３１】
スイッチボックス２６は前記３組の有機ＥＬ素子２１のうちのどの組の有機ＥＬ素子２１を発光状態とするか、非発光状態とするかを選択するための発光切替手段としてのスイッチ２９を備えている。スイッチボックス２６及びスイッチ２９はサンバイザー１１に配設されている。スイッチ２９は、透明基板２０上の全ての有機ＥＬ素子２１を非発光状態にさせるオフ位置と、選択された有機ＥＬ素子２１を発光状態にさせるオン位置とに切替可能に構成されている。オン位置には左右両側に配置された有機ＥＬ素子２１を発光状態にさせる第１段階と、中央に配置された一列の有機ＥＬ素子２１を発光状態にさせる第２段階と、透明基板２０上の全ての有機ＥＬ素子２１を発光状態にさせる第３段階との３位置が存在する。スイッチボックス２６及びスイッチ２９が、全ての有機ＥＬ素子２１が発光される全面発光と、一部の有機ＥＬ素子２１が発光される部分発光と、全ての有機ＥＬ素子２１が発光されない全面非発光とを選択する選択手段を構成する。
【００３２】
次に有機ＥＬ素子２１が電気的に直列に接続された部分の構造を説明する。図３に示すように隣接する２つの有機ＥＬ素子２１のうちプラス端子２５側に配置された有機ＥＬ素子２１（図３では、左側の有機ＥＬ素子２１）には、第１電極２２のマイナス端子２８側の端部を覆うように透明絶縁層３０が形成されている。また、第１電極２２上に透明絶縁層３０を覆うように有機ＥＬ層２３が形成されている。透明絶縁層３０は、プラス端子２５側に配置された有機ＥＬ素子２１の第１電極２２と第２電極２４とのリークを防止するためのものである。
【００３３】
隣接する２つの有機ＥＬ素子２１のうちマイナス端子２８側に配置された有機ＥＬ素子２１（図３では、右側の有機ＥＬ素子２１）には、第１電極２２のプラス端子２５側寄りの部分に透明絶縁層３１が形成され、透明絶縁層３１上に隔壁３２が形成されている。有機ＥＬ層２３は透明絶縁層３１よりマイナス端子２８側において第１電極２２を覆うように形成されている。即ち、マイナス端子２８側に形成された有機ＥＬ素子２１の第１電極２２のプラス端子２５側端部上には、有機ＥＬ層２３が形成されていない部分が存在する。
【００３４】
プラス端子２５側の有機ＥＬ素子２１の第２電極２４は、マイナス端子２８側に形成された有機ＥＬ素子２１の第１電極２２上の透明絶縁層３１のプラス端子２５側端部まで延長された状態に形成されている。即ち、プラス端子２５側の有機ＥＬ素子２１の第２電極２４は、マイナス端子２８側の有機ＥＬ素子２１の第１電極２２に直接接続されている。
【００３５】
また、マイナス端子２８側の有機ＥＬ素子２１の第２電極２４は、当該有機ＥＬ素子２１上に形成された有機ＥＬ層２３上に形成されている。また、隔壁３２上には第２電極２４と同じ材質で形成された反射層３３が形成されている。
【００３６】
各有機ＥＬ素子２１の第２電極２４と反射層３３とは、同時に蒸着によって形成されるため、隔壁３２は、第２電極２４が隣接する有機ＥＬ素子２１の間で連続するのを確実に阻止する役割を有する。隔壁３２は、その幅が透明基板２０側が最も狭く、先端が最も広いテーパ状に形成されている。この実施形態では透明絶縁層３０，３１及び隔壁３２はホトレジストで形成されている。
【００３７】
なお、図３は模式的に各部を示しており、実際は透明基板２０（例えば、ガラス板）の厚さが０．３ｍｍ〜２ｍｍ程度に対して、第１電極２２、有機ＥＬ層２３及び第２電極２４の厚さは、数十〜１０００ｎｍ程度である。また、透明絶縁層３０，３１の厚さは、第１電極２２の厚さ以上であり、隔壁３２の厚さは第１電極２２、有機ＥＬ層２３、第２電極２４及び透明絶縁層３０，３１よりも十分厚く形成されている。
【００３８】
次に前記のように構成されたバニティーミラー１０の作用を図１，３を用いて説明する。
図１に示すように、バニティーミラー１０は、外観は照明装置の付いていないバニティーミラーとほとんど変わらない。スイッチ２９がオフの状態では、明るい場所において、全面を鏡として使用できる。スイッチ２９を一段階切り替えることにより透明基板２０の相対する周縁部（左右両側）に沿って形成されている有機ＥＬ素子２１が発光状態となり、部分発光を行う。この場合、照明装置付きの鏡としても使用でき、また、照明装置としても使用できる。スイッチ２９をさらに一段階切り替えると電気的に直列に接続された真中の有機ＥＬ素子２１部分のみが発光状態となり、照明装置として使用できる。スイッチ２９をもう一段階切り替えると透明基板２０の全ての有機ＥＬ素子２１が発光状態となり、全面発光を行い、最も明るい状態で照明装置として使用できる。例えば、周りが暗い場合に自動車のルームランプなどを使用しないで鏡としてバニティーミラー１０を使用する際には、バニティーミラー１０の相対する周縁部だけを発光させ、発光していない部分を鏡として利用する。この時、鏡として利用する非発光部は、１枚の鏡として機能する。また、照明装置として利用する際には、必要な光量に応じてスイッチ２９を切り替えることによって部分発光と全面発光とを選択することができる。
【００３９】
各有機ＥＬ素子２１が電気的に直列に接続されている部分においては、図３の破線の矢印で示すように、電流はプラス端子２５側の第１電極２２から有機ＥＬ層２３を通って第２電極２４に流れる。そして、第２電極２４のマイナス端子２８側の端部において、当該第２電極２４から隣接する有機ＥＬ素子２１の第１電極２２に電流が流れ込む。その結果、３つ一組の有機ＥＬ素子２１のプラス端子２５に供給された電流はマイナス端子２８からバッテリー２７のマイナス端子に流れる。
【００４０】
この実施形態では電源としてバッテリー２７が使用されており、３つの有機ＥＬ素子２１が電気的に直列に接続されているため、各有機ＥＬ素子２１にはバッテリー２７のほぼ１／３の電圧が印加される。自動車のバッテリー２７は、１２Ｖであるためそれぞれの有機ＥＬ素子２１を電気的に並列に接続すると各有機ＥＬ素子２１に１２Ｖの電圧が加えられ、電圧が高すぎて好ましくない。しかし、３つの有機ＥＬ素子２１が電気的に直列に接続されているために１つの有機ＥＬ素子２１に印加される電圧は、ほぼ４Ｖずつとなり、有機ＥＬ素子２１を発光させるのに最低限の電圧以上は確保されている。また、電気的に直列に接続されているため各有機ＥＬ素子２１に流れる電流が同じになるため、それぞれの有機ＥＬ素子２１の発光量をほぼ同じにすることができる。                
【００４１】
前記の実施形態によって発揮される効果について、以下に記載する。
（１）有機ＥＬ素子２１で構成された発光部が全て発光して透明基板２０の全面が発光する全面発光と、透明基板２０の発光部の一部が発光する部分発光とを選択可能である。従って、照明装置として使用する場合は、部分発光と全面発光とを選択して使用することにより、異なる明るさで照明を行うことができる。周りが暗い場合に鏡を使用するときには、蛍光灯などの他の照明装置を使用することなく、鏡の一部分のみを発光させて、発光していない部分を鏡として使用することができる。また、周りが明るい場合には、全面を鏡として使用することができる。
【００４２】
（２）有機ＥＬ素子２１がほぼ長方形状に配置され、相対する周縁部に沿って有機ＥＬ素子２１が配置されている。従って、周縁部分を照明装置として利用した場合に鏡の両端から光が発光されるため鏡に映る顔の影を防ぐことができる。
【００４３】
（３）使用者が部分発光を選択した際に、非発光部が１枚の鏡として機能する発光状態を選択できる。従って、暗い場所で外部の照明なしに鏡として使用する場合、鏡の部分が１枚だけ存在する状態となり、分割された複数の鏡が存在する場合に比較して鏡として使い易い。
【００４４】
（４）有機ＥＬ層２３は白色発光を行うように構成されているため他の色の発光を用いた場合に比べて周囲の色を認識するのが容易になる。
（５）隔壁３２は第２電極２４に比べて厚く形成されている。従って、第２電極２４及び反射層３３を同時に蒸着によって形成する際、第２電極２４が隣接する有機ＥＬ素子２１間で連続するのを確実に防止することができる。
【００４５】
（６）照明装置付き鏡が自動車のサンバイザーに取り付けられているバニティーミラー１０に適用されている。従って、バニティーミラー１０において、（１）〜（５）の効果と同様の作用効果を奏する。
【００４６】
（７）３つの有機ＥＬ素子２１が電気的に直列に接続され、電源として自動車の補機用のバッテリー２７を使用している。従って、自動車のバッテリー２７から１２Ｖの電源を使用する際にそれぞれにかかる電圧は、４Ｖとなりわざわざ電圧を下げるために余計な抵抗などを接続する必要がなくなる。また、各有機ＥＬ素子２１に流れる電流を同じにすることができるためそれぞれの発光量をほぼ同じにすることができる。
【００４７】
（第２の実施形態）
次に第２の実施形態を図４に従って説明する。この実施形態では照明装置として使用する際に、明るさをより多段階あるいは連続的に調整できるところが前記第１の実施形態と異なっている。第１の実施形態と実質上同一部分は同一の符号を付してその詳しい説明を省略する。
【００４８】
図４に示すようにバニティーミラー１０は、５箇所の部分に発光エリアが区画されている。それぞれの有機ＥＬ素子２１は、電気的に並列に接続されている。それぞれの有機ＥＬ素子２１を発光状態とさせるか、非発光状態とさせるかを選択するスイッチ２９と、スイッチボックス２６と、印加電圧可変手段としてのボリューム３４とがサンバイザー部分に配設されている。
【００４９】
ボリューム３４は、それぞれの有機ＥＬ素子２１にかかる電圧を調整可能に構成され、それぞれの有機ＥＬ素子２１から発光される光量の強弱を調節することができる。この実施形態では可変抵抗が使用され、ボリューム３４を操作することによって抵抗が変化してそれぞれの有機ＥＬ素子２１に加えられる電圧を調整することができる。
【００５０】
この第２の実施形態によれば、第１の実施形態の（１）〜（４）、（６）、（７）と同様の効果を有する他に次の効果を有する。
（８）バニティーミラー１０は、印加電圧可変手段としてのボリューム３４を備えている。従って、ボリューム３４を操作することにより有機ＥＬ層２３から発光される光の強弱を調整し、所望の明るさにすることができる。
【００５１】
（９）発光エリアが５箇所に分かれており、それぞれが独立して発光状態か非発光状態かを選択することができる。従って、全ての有機ＥＬ素子２１を発光状態とすることもできるし、任意の場所の有機ＥＬ素子２１を発光状態とすることができ光量を多段階あるいは連続的に調節することができる。
【００５２】
（１０）発光状態とする有機ＥＬ素子２１の選択と、ボリューム３４の操作とを組み合せることによってさらに所望の明るさを選択することができるようになる。
（第３の実施形態）
次に第３の実施形態を図５に従って説明する。この実施形態では、照明装置付き鏡が電気スタンドとして使用されているところが第１の実施形態と異なる。第１の実施形態と実質上同一部分は同一の符号を付してその詳しい説明を省略する。
【００５３】
図５に示すように、照明装置付き鏡付きの電気スタンド４０は、四角箱状のベース部４１と、その上に形成されている支柱４２と、照明装置付き鏡４３とを備えている。
ベース部４１には照明装置付き鏡４３の独立して発光可能な発光部を発光状態にするか、非発光状態にするかを選択するためのスイッチ４４，４５，４６と、それぞれの有機ＥＬ素子２１に加えられる電圧を調節する印加電圧可変手段としてのボリューム３４とを備えている。また、ベース部４１の中には図示しないＡＣ−ＤＣインバーターを備えており、家庭用の交流を直流に変換して有機ＥＬ素子２１に直流電圧を供給可能に構成されている。
【００５４】
支柱４２は、照明装置付き鏡４３を支えるためのものであり、この実施形態では、途中で回動可能となっている。
スイッチ４４，４５，４６がオフのときは、照明装置付き鏡４３の全面が非発光状態となっている。スイッチ４４をオンにすると、照明装置付き鏡４３の相対する左右の周縁部が発光状態となり、その他の有機ＥＬ素子２１は、非発光状態となる。スイッチ４５をオンにすると、照明装置付き鏡４３の電気的に直列に接続された中央部分の有機ＥＬ素子２１が発光状態となり、照明装置付き鏡４３の左右の周縁部は非発光状態となる。スイッチ４６をオンにすると、照明装置付き鏡４３の全面が発光状態となる。
【００５５】
この第３の実施形態によれば、第１の実施形態の（１）〜（６）、第２の実施形態の（８），（１０）と同様の効果を有するほかに次の効果を有する。
（１１）照明装置付き鏡が電気スタンド４０に備えられている。そのため、寝室の枕元に置いて読書灯などに使用することができる。また、周りが明るいときは照明装置付き鏡４３が普通の鏡として利用でき、周りが暗いときは、スイッチ４４をオンにして照明装置付き鏡４３の相対する左右の周縁部に沿って形成された有機ＥＬ素子２１を発光させることにより、非発光部分を鏡として利用することができる。
【００５６】
（第４の実施形態）
次に第４の実施形態を図６に従って、説明する。この実施形態では、有機ＥＬ素子が透明基板の長手方向の一辺の周縁部に沿って配置されているところが前記第１の実施形態と異なっている。第１の実施形態と実質上同一部分は同一の符号を付してその詳しい説明を省略する。
【００５７】
図６に示すように、この実施形態においては、透明基板２０は長方形状に形成され、透明基板２０上に６つの有機ＥＬ素子２１が形成されており、有機ＥＬ素子２１は２行３列に配置されている。透明基板２０の図６における透明基板２０の上辺の周縁部に沿って配置された３つ有機ＥＬ素子２１はそれぞれ同じ大きさ、同じ形状に形成され、下辺に配置された３つの有機ＥＬ素子２１は透明基板２０の上辺の周縁部に配置された有機ＥＬ素子２１より長さ（図６における上下方向の長さ）が長く（この実施形態では２倍に）形成されている。また、行方向に並んだ３つの有機ＥＬ素子２１同士がそれぞれ電気的に直列に接続されている。
【００５８】
この第４の実施の形態によれば、第１の実施形態の（１）、（３）〜（７）と同様の効果を有する他に次の効果を有する。
（１２）有機ＥＬ素子２１がほぼ長方形状に形成されており、少なくとも透明基板２０の長手方向の一辺の周縁部に沿って配置されている。従って、暗い場所で鏡として使用する場合、前記一辺の周縁部から光が発光されるため鏡に映る顔の影を防ぐことができる。
【００５９】
（第５の実施形態）
次に第５の実施形態を図７に従って、説明する。この実施形態では、透明基板上に第１電極、有機ＥＬ層及び第２電極が形成されており、第２電極が不連続に形成されているところが第１の実施形態と異なっている。第１の実施形態と実質上同一部分は同一の符号を付してその詳しい説明を省略する。
【００６０】
図７に示すように、この実施形態においては、透明基板２０上に第１電極２２、有機ＥＬ層２３及び第２電極２４が順に形成されている。そして、透明基板２０の左右の２辺の周縁部に沿った部分で第２電極２４が不連続に形成されている。
【００６１】
この第５の実施形態によれば、第１の実施形態の（１）〜（４）と同様の効果を有する。
（第６の実施形態）
次に第６の実施形態を図８に従って、説明する。この実施形態では、透明基板に第１電極、有機ＥＬ層及び第２電極が形成されており、第１電極が不連続に形成されているところが第１の実施形態と異なっている。第１の実施形態と実質上同一部分は同一の符号を付してその詳しい説明を省略する。
【００６２】
図８に示すように、この実施形態においては、透明基板２０上に第１電極２２、有機ＥＬ層２３及び第２電極２４が順に形成されている。そして、透明基板２０の左右の２辺の周縁部に沿った部分で第１電極２２が不連続に形成されている。第１電極２２が不連続に形成されている部分には透明絶縁材８１が充填されている。例えば、透明絶縁材８１としてフォトレジストなどが使用される。
【００６３】
なお、この実施形態では、第１電極２２の厚さは有機ＥＬ層２３よりも厚く形成されている。
この第６の実施形態によれば、第１の実施形態の（１）〜（４）と同様の効果を有する。
【００６４】
（第７の実施形態）
次に第７の実施形態を図９に従って、説明する。この実施形態では、透明基板上に第１電極、有機ＥＬ層及び第２電極を備えたパネルを複数有し、前記パネルの前記透明基板の端面同士が対向するようにそれぞれ並んで配置されているところが第１の実施形態と異なっている。第１の実施形態と実質上同一部分は同一の符号を付してその詳しい説明を省略する。
【００６５】
図９に示すように、この実施形態においては、透明基板２０と、透明基板２０上に第１電極、有機ＥＬ層及び第２電極とを備えているパネル７１が３個あり、それぞれのパネル７１が互いに隣り合うパネル７１の前記透明基板２０の端面同士が対向するように配置されている。
【００６６】
パネル７１は、この実施形態では、隣り合うパネル７１同士が接着されたときに、光学的に吸収がなく、凝固したときに白濁する接着剤が使用さる。例えば、接着層の中に気泡が入っているものが使用される。
【００６７】
この第７の実施形態によれば、第１の実施形態の（２）〜（４）と同様の効果を有する。他に次の効果を有する。
（１３）複数のパネル７１が並んで接合されているために、１つのパネル７１を用いたときに比べて大きい面積の照明装置付き鏡を作ることができる。
【００６８】
（１４）それぞれのパネル７１が凝固したときに白濁する接着剤で接続されているため、発光を行う際に光が散乱してそれぞれのパネル７１の接続部分が暗く目立つことがなくなる。
【００６９】
（１５）パネル７１を組み合わせることで容易に大型の照明装置付き鏡を作ることができる。
（１６）パネル７１を複数用いて大型の照明装置付き鏡を作ることができるため同じ大きさの照明装置付き鏡を１つの有機ＥＬ素子で作る場合と比較して歩留まりがよくなる。
【００７０】
実施形態は前記に限定されるものではなく、例えば、次のように具体化してもよい。
○  第１の実施形態において、バニティーミラー１０は、自動車のサンバイザー１１に取り外し可能に取り付けられていてもよい。バニティーミラー１０は、サンバイザー１１に取り付けられている場合は、自動車のバッテリー２７から電源を供給しているが、バニティーミラー１０がサンバイザー１１から取り外された場合は、バッテリー２７から電源を供給するための線が伸びる。この場合、サンバイザー１１からバニティーミラー１０を取り外して、バニティーミラー１０を近づけることによってサンバイザー１１の位置から直接照射できない個所でも明るく照らすことができる。
【００７１】
○  バニティーミラー１０を発光させるためのスイッチ２９と印加電圧可変手段としてのボリューム３４は、サンバイザー１１以外の場所に取り付けられていてもよい。例えば、インストルメントパネル部分などに取り付けられていてもよい。
【００７２】
○  バニティーミラー１０を取り外し可能とする構成において、スイッチ２９やボリューム３４をバニティーミラー１０に取り付け、バニティーミラー１０に畜電池を装備してもよい。そして、バニティーミラー１０がサンバイザー１１から取り外されて使用される際には、蓄電池から電源が供給される構成としてもよい。前記蓄電池は、バニティーミラー１０がサンバイザー１１に取り付けられているときは、バッテリー２７から電源を供給され充電されている。
【００７３】
○  照明装置付き鏡は、バニティーミラー１０、電気スタンド４０に取り付けられた照明装置付き鏡４３に限らず、他の鏡に適用してもよく、大きさも携帯に適したものであっても携帯に適したものでなくてもよい。例えば、手鏡として化粧用コンパクトミラー、携帯用の折りたたみ鏡、携帯用の小物（エチケットプラシ）用の鏡などの携帯用として用いることができるものに適用してもよい。
【００７４】
○  第１、第２及び第３の実施形態では、透明基板２０上に隣接して区画形成された複数の有機ＥＬ素子２１は、５個、６個、９個であるがそれに限らず２個以上であればいくつでもよい。
【００７５】
○  第１の実施形態では、周りが暗い場合にバニティーミラー１０の左右の周縁部を発光させているが、鏡が縦に長い場合は、暗い状況で鏡として使用する場合に上下両縁の発光部を発光させて使用する構成としてもよい。
【００７６】
○  第４の実施形態では、鏡の上側を発光させて下側を非発光部として、非発光部を鏡として使用しているが、鏡の下側を発光させて上側を非発光部として、非発光部を鏡として使用したりしてもよい。
【００７７】
○  第５の実施形態及び第６の実施形態では、第２電極２４及び第１電極２２のみが部分的に不連続に形成されているが、第１電極２２、有機ＥＬ層２３及び第２電極２４全てが不連続に形成されていてもよい。また、第１電極２２及び有機ＥＬ層２３が不連続に形成されていたり、第２電極及び有機ＥＬ層が不連続に形成されていてもよい。この場合第１電極２２と第２電極２４とは電気的にショートを生じないように形成されている。
【００７８】
○  第６の実施形態では、透明絶縁材８１が第１電極２２より厚く形成されているが、有機ＥＬ層２３を切れ目なく形成することができる程度の厚さで形成されていてもよい。
○  第６の実施形態では、透明絶縁材８１が充填されているが、第１電極２２の厚さが有機ＥＬ層２３の厚さに比べて相当に薄い場合は、有機ＥＬ層２３を切れ目なく形成できるため、透明絶縁材８１を形成しなくてもよい。
【００７９】
○  第７の実施形態では、パネル７１を３個でバニティーミラー１０が構成されているが３個に限らず、２個以上であればいくつのパネル７１を用いて照明装置付き鏡を構成してもよい。
【００８０】
○  第７の実施形態では、それぞれのパネル７１が凝固したときに白濁する接着剤で接続されているが、これに限らず、パネル７１の透明基板２０の端面を粗面化したり、隣り合うパネル７１の透明基板２０間に光を散乱させる機能を持ったゲル状体を用いてもよい。
【００８１】
○  第７の実施形態では、それぞれのパネル７１が凝固したときに白濁する接着剤で接続されているが、凝固したときに白濁しないものや、光を散乱させないものを用いてもよい。
【００８２】
○  第７の実施形態において接着剤に散乱機能を持たせるものは気泡である必要はなく、光を反射あるいは屈折させる機能を備えているものであればどのようなものでもよい。例えば、セラミックスや金属の粉等を使用してもよい。
【００８３】
○  照明装置付き鏡の形状は、正方形や他の四角形、三角形、五角形以上の多角形、円形、楕円形など、任意の形状に形成してもよい。
○  有機ＥＬ層２３の発光色は白色である必要はなく、例えば青、赤などの色を用いて意匠を凝らしたものでもよい。この場合、使用者が自分の顔や姿を見るための鏡ではなく、ディスプレイ用の鏡に適している。
【００８４】
○  発光部全体が一色で発光する構成に限らず、部分的に異なる色（例えば青、赤など）の発光を行うように意匠を凝らしたものでもよい。
○  有機ＥＬ層２３は、発光層のみの単層構成、または正孔注入層、正孔輸送層、正孔注入輸送層、正孔阻止層、電子注入層、電子輸送層、電子阻止層の一層以上と、発光層とが積層された多層構成のいずれであってもよい。
【００８５】
○  第２電極２４及び反射層３３を反射性を有する金属で形成せずに透明導電材で形成するとともに、第２電極２４及び反射層３３の有機ＥＬ層２３と反対側の面に反射性を有する層を形成してもよい。この場合、前記反射性を有する層が鏡となる。
【００８６】
○  透明基板２０の材質はガラスに限らず、透明であればよく、例えば、樹脂などであってもよい。
以下の技術的思想（発明）は、前記実施形態から把握できる。
【００８７】
（１）前記有機ＥＬ層は、白色発光するように構成されている
【図面の簡単な説明】
【００８８】
【図１】（ａ）は第１の実施形態のバニティーミラーとサンバイザーの関係を示す模式平面図、（ｂ）は照明装置付き鏡の模式図。
【図２】有機ＥＬ素子の模式断面図。
【図３】図１（ｂ）のＡ−Ａ線における拡大断面図。
【図４】第２の実施形態の有機ＥＬ素子の配置を示す模式図。
【図５】第３の実施形態の模式斜視図。
【図６】第４の実施形態の有機ＥＬ素子の配置を示す模式図。
【図７】第５の実施形態の模式断面図。
【図８】第６の実施形態の模式断面図。
【図９】第７の実施形態の模式図。
【図１０】（ａ）は従来技術の自発光鏡の模式平面図、（ｂ）は従来技術の別の自発光鏡の模式平面図。
【符号の説明】
【００８９】
１０…照明装置付き鏡としてのバニティーミラー、１１…サンバイザー、２０…透明基板、２１…有機ＥＬ素子、２２…第１電極、２３…有機ＥＬ層、２４…第２電極、２７・・・電源、２９・・・発光切替手段としてのスイッチ、３４…印加電圧可変手段としてのボリューム、４３…照明装置付き鏡、７１・・・パネル。
【図１】
2005177084.tif 000003
【図２】
2005177084.tif 000004
【図３】
2005177084.tif 000005
【図４】
2005177084.tif 000006
【図５】
2005177084.tif 000007
【図６】
2005177084.tif 000008
【図７】
2005177084.tif 000009
【図８】
2005177084.tif 000010
【図９】
2005177084.tif 000011
【図１０】
2005177084.tif 000012